(57)【特許請求の範囲】
【請求項１】
往信用封筒表紙シートと往信用封筒中紙シートと返信用封筒表紙シートと往信兼返信用封筒裏紙シートとの四シートが折り部を介して連接されて、前記往信用封筒中紙シートと返信用封筒表紙シートとが前記往信用封筒表紙シートと往信兼返信用封筒裏紙シートとの間となるように四シートが折り畳み可能に設けられ、
前記四シートにおける前記折り部に直交する一方の側辺それぞれに、前記折り畳み時に対応する第一の封緘機能形成片を前記折り部に直交する切り取り部を介して設けるとともに、前記返信用封筒表紙シートと往信兼返信用封筒裏紙シートとにおける前記切り取り部に沿って、前記折り畳み時に対応する第二の封緘機能形成片を設け、
前記往信用封筒表紙シートと往信用封筒中紙シートとの前記第一の封緘機能形成片を除く重ね合わせ対向面それぞれを剥離可能に接着する弱接着部とするとともに、前記往信用封筒中紙シートと返信用封筒表紙シートとの重ね合わせ対向面それぞれを剥離可能に接着する弱接着部とし、前記返信用封筒表紙シートと往信兼返信用封筒裏紙シートとの前記第一、第二の封緘機能形成片を除く重ね合わせ対向面それぞれの折り部側を除く二辺に沿って剥離困難に接着する強接着部を設け、
前記往信用封筒表紙シートの第一の封緘機能形成片における重ね合わせ対向面にシール剤塗布部を設け、かつ、前記往信用封筒中紙シートの第一の封緘機能形成片における往信用封筒表紙シート側の重ね合わせ対向面に剥離剤塗布部を設け、
前記往信兼返信用封筒裏紙シートの第一の封緘機能形成片における前記返信用封筒表紙シート側の重ね合わせ面に、シール強度増強剤塗布部を設け、
前記返信用封筒表紙シートと往信兼返信用封筒裏紙シートとの第二の封緘機能形成片における重ね合わせ対向面の少なくとも一方に、該第二の封緘機能形成片同士を綴じ合わせ可能な封緘手段を設けたことを特徴とする往復封筒用シート。
【請求項２】
請求項１における往復封筒用シートの往信用封筒表紙シートと往信用封筒中紙シートと返信用封筒表紙シートと往信兼返信用封筒裏紙シートとの四シートが、前記往信用封筒中紙シートと返信用封筒表紙シートとを前記往信用封筒表紙シートと往信兼返信用封筒裏紙シートとの間となるようにして折り畳まれ、
前記往信用封筒表紙シートと往信用封筒中紙シートとの第一の封緘機能形成片を除く重ね合せ対向面同士が剥離可能に貼り合わされているとともに、前記往信用封筒中紙シートと返信用封筒表紙シートとの重ね合せ対向面同士が剥離可能に貼り合わされ、返信用封筒表紙シートと往信兼返信用封筒裏紙シートとの重ね合せ対向面における折り部側を除いた二辺が剥離困難に貼り合わされ、
この返信用封筒表紙シートと往信兼返信用封筒裏紙シートとの間に封入物を配してなる返信用封筒部が、往信用封筒中紙シートと返信用封筒表紙シートとの第一の封緘機能形成片を取り除いて直接相対向する往信用封筒表紙シートと往信兼返信用封筒裏紙シートとの第一の封緘機能形成片同士の綴じ合わせにより、封緘されていることを特徴とする往復封筒。
【発明の詳細な説明】
【０００１】
【発明の属する技術分野】
本発明は返信用封筒を一体に備える往信用封筒が得られるようにした往復封筒用シートと、このシートを用いてなる往復封筒に関するものである。
【０００２】
【発明が解決しようとする課題】
従来から、ダイレクトメールなどのように顧客への商品の紹介と注文を得ることを目的として送付される郵便物においては、受取人側からの注文を出す際の手数を省くために予め返信用葉書や返信用封筒を同封して発送するようにしている。そして、昨今においては、往信用封筒にこのような返信用葉書や返信用封筒を挿入することなく、一枚のシートから往信用封筒を作成する時点で返信用葉書や返信用封筒が形成されるようにしてこの往信用封筒に一体的に組み込むようにしたものが多く利用されるようになってきている。
しかしながら、上述した一枚のシートから往信用封筒と返信用封筒とを形成するようにしたものでは、往信用封筒の内部寸法内でその返信用封筒が形成されるようにする必要があって、往信封筒側からの制限を受けて小さな寸法の返信用封筒となるという不都合がある。また、それぞれ別々に作成されている往信用封筒と返信用封筒との二つの封筒を用いて書面などの受け渡しを行なうものでは不経済な点がある。さらには、予め返信用封筒に対して別途作成の封入物を挿入して往復させることのできるものは提案されていなかった。
本発明は上記事情に鑑みてなされたもので、一枚のシートより往信用封筒と返信用封筒とを一体として得られ、返信用封筒に注文票などの別作成される封入物を挿入して簡易に往復封筒が作成できるようにすることを課題とし、返信用封筒に封入物を入れることのできる新規な往復封筒を得ることを目的とするものである。
【０００３】
【課題を解決するための手段】
本発明は上記課題を考慮してなされたもので、往信用封筒表紙シートと往信用封筒中紙シートと返信用封筒表紙シートと往信兼返信用封筒裏紙シートとの四シートが折り部を介して連接されて、前記往信用封筒中紙シートと返信用封筒表紙シートとが前記往信用封筒表紙シートと往信兼返信用封筒裏紙シートとの間となるように四シートが折り畳み可能に設けられ、前記四シートにおける前記折り部に直交する一方の側辺それぞれに、前記折り畳み時に対応する第一の封緘機能形成片を前記折り部に直交する切り取り部を介して設けるとともに、前記返信用封筒表紙シートと往信兼返信用封筒裏紙シートとにおける前記切り取り部に沿って、前記折り畳み時に対応する第二の封緘機能形成片を設け、前記往信用封筒表紙シートと往信用封筒中紙シートと返信用封筒表紙シートとの前記第一の封緘機能形成片を除く重ね合わせ対向面それぞれを剥離可能に接着する弱接着部とするとともに、前記返信用封筒表紙シートと往信兼返信用封筒裏紙シートとの前記第一、第二の封緘機能形成片を除く重ね合わせ対向面それぞれの折り部側を除く二辺に沿って剥離困難に接着する強接着部を設け、前記往信用封筒表紙シートの第一の封緘機能形成片における重ね合わせ対向面にシール剤塗布部を設け、かつ、前記往信用封筒中紙シートの第一の封緘機能形成片における往信用封筒表紙シート側の重ね合わせ対向面に剥離剤塗布部を設け、前記往信兼返信用封筒裏紙シートの第一の封緘機能形成片における前記返信用封筒表紙シート側の重ね合わせ面に、シール強度増強剤塗布部を設け、前記返信用封筒表紙シートと往信兼返信用封筒裏紙シートとの第二の封緘機能形成片における重ね合わせ対向面の少なくとも一方に、該第二の封緘機能形成片同士を綴じ合わせ可能な封緘手段を設けたことを特徴とする往復封筒用シートを提供して、上記課題を解消するものである。
【０００４】
また、もう一つの発明は、上記往復封筒用シートの往信用封筒表紙シートと往信用封筒中紙シートと返信用封筒表紙シートと往信兼返信用封筒裏紙シートとの四シートが、前記往信用封筒中紙シートと返信用封筒表紙シートとを前記往信用封筒表紙シートと往信兼返信用封筒裏紙シートとの間となるようにして折り畳まれ、前記往信用封筒表紙シートと往信用封筒中紙シートとの第一の封緘機能形成片を除く重ね合せ対向面同士が剥離可能に貼り合わされているとともに、前記往信用封筒中紙シートと返信用封筒表紙シートとの重ね合せ対向面同士が剥離可能に貼り合わされ、返信用封筒表紙シートと往信兼返信用封筒裏紙シートとの重ね合せ対向面における折り部側を除いた二辺が剥離困難に貼り合わされ、この返信用封筒表紙シートと往信兼返信用封筒裏紙シートとの間に封入物を配してなる返信用封筒部が、往信用封筒中紙シートと返信用封筒表紙シートとの第一の封緘機能形成片を取り除いて直接相対向する往信用封筒表紙シートと往信兼返信用封筒裏紙シートとの第一の封緘機能形成片同士の綴じ合わせにより、封緘されていることを特徴とする往復封筒であり、この往復封筒を提供して上記課題を解消するものである。
【０００５】
【発明の実施の形態】
つぎに本発明を図１から図６に示す実施の形態に基づいて詳細に説明する。
図中１は返信用封筒を一体的に備える往復封筒を得るようにした往復封筒用シートで、該往復封筒用シート１は図１に示されているように、往信用封筒表紙シート２と往信用封筒中紙シート３と返信用封筒表紙シート４と往信兼返信用封筒裏紙シート５との順とした四シートが折り用または切り取り兼折り用とされたミシン目からなる折り部６を介して横一連にして連接されたものであって、前記往信用封筒表紙シート２と往信兼返信用封筒裏紙シート５との間に往信用封筒中紙シート３と返信用封筒表紙シート４とを位置させながら前記折り部６からＺ状にしてこの四シートを折り畳むことができる配置で配列されている。
そして、この往復封筒用シート１より得られる往復封筒の往信時における封緘機能が得られるようにするために、また、封入物の返信用封筒への挿入前に封緘が行われないようにすべく、上記四シート２、３、４、５における折り部６と直交する一方の側辺である上側辺それぞれに、Ｚ状の折り畳み時に対応するようにした第一の封緘機能形成片７が、折り部６と直交する方向に亘って入れられた切り取りミシン目からなる切り取り部８を介して連接されている。さらに、前記返信用封筒表紙シート４と往信兼返信用封筒裏紙シート５とは後述するように返信用封筒を構成するものであって、この返信用封筒表紙シート４と往信兼返信用封筒裏紙シート５とにおいては、前記切り取り部８に沿って第二の封緘機能形成片９が設けられており、この第二の封緘機能形成片９それぞれがＺ状に折り畳んだときに相対するようにし、返信用封筒単独での差し出し時に封緘が行なえるようにしている。
【０００６】
図１と図２に示すように、この往復封筒用シート１より得られる往復封筒Ａでは上記往信用封筒表紙シート２と往信用封筒中紙シート３と返信用封筒表紙シート４とが剥離可能に貼り合わされたものであって、その往復封筒Ａを形成する往復封筒用シート１では、往信用封筒表紙シート２と往信用封筒中紙シート３との前記第一の封緘機能形成片７を除く重ね合わせ対向面１０、および往信用封筒中紙シート３と返信用封筒表紙シート４との重ね合わせ対向面１０それぞれを、剥離可能に接着する弱接着部１１としている。
この弱接着部１１それぞれは、例えば接合面相互を重ね合わせた状態で所要の押圧力を付与することで剥離可能な接着力を呈するようになる接着手段を塗布してなるものであり、往復封筒用シート１をＺ状に折り畳んだ後に全体に圧力を加えるようにすることで往信用封筒表紙シート２と往信用封筒中紙シート３と返信用封筒表紙シート４とが剥離可能に貼り合わされるようにしている。なお、この往信用封筒表紙シート２と返信用封筒表紙シート４とのそれぞれの封筒形態時（往復封筒時、返信封筒時）に外面となる面には宛名情報が設けられるものであり、また、往信用封筒表紙シート２の重ね合わせ対向面１０と往信用封筒中紙シート３の両面の重ね合わせ対向面１０においては、往信封筒の受取人側が情報を記載できるような情報記載部を設けるようにしてもよい。即ち、この往復封筒用シート１から得られる往復封筒が受取人側に届いた後に、後述するように往信用封筒表紙シート２と往信用封筒中紙シート３とを捲って上記折り部６（往信用封筒中紙シート３と返信用封筒表紙シート４との間の折り部６）から分離することで単独のシートとして取り扱うことができるようになり、重ね合わせ対向面１０に受取人側が情報記載する個所を設けてこれを返信用封筒に挿入する返信システムが構成できる。また、往復封筒差し出し人側から往信封筒受取人側への通知情報を記載する通知情報記載部を前記三面の重ね合わせ面１０に設けるようにしてもよい。
【０００７】
また、図２（イ）に示すように返信用封筒表紙シート４と往信兼返信用封筒裏紙シート５とにより往信用封筒（往復封筒Ａ）に一体的にして返信用封筒Ｂが得られるようにするために、この返信用封筒表紙シート４と往信兼返信用封筒裏紙シート５の前記第一、第二の封緘機能形成片７、９を除く重ね合わせ対向面１２それぞれの折り部６（二シート４と５の間の折り部６）側を除く二辺に沿って、剥離困難に接着する強接着部１３を設けている。この強接着部１３は、接合面相互を重ね合わせた状態で所要の圧力を付与することで剥離困難な接着力を呈するようになる接着手段を塗布してなるものであり、ジグザグ状に折り畳まれた往復封筒用シート１全体に押圧力を加えるようにすることで返信用封筒表紙シート４と往信兼返信用封筒裏紙シート５との前記二辺が剥離困難に貼り合わされて一辺開口型の返信用封筒Ｂを形成し、ここに封入物Ｃをが挿入するようにしている。なお、返信用封筒Ｂにおいて第二の封緘機能形成片９と交叉する折り部６にあっては封入物を入れ易くするために、また、往復封筒Ａにおいて第一の封緘機能形成片７と交叉する折り部６にあっては往信用封筒中紙シート３と返信用封筒表紙シート４との第一の封緘機能形成片７の後述の取り除き作業を行い易くするために、切れ目を大きくして切断し易くしたものとしたりスリットからなるものとしてもよい。
【０００８】
往復封筒用シート１にて封緘機能を有した状態で往復封筒が得るように、上記往信用封筒表紙シート２の第一の封緘機能形成片７における重ね合わせ対向面１４にシール剤塗布部１５が設けられている。このシール剤塗布部１５は粘着剤がカプセル化されてそのカプセルが破壊されることで粘着力を生じるようにしたシール剤を塗布してなるものであり、上述したように往復封筒用シート１をＺ状に折り畳んでから押圧力を付与する時点でこのシール剤塗布部１５に粘着力が生じるようにしているものである。
そして、このシール剤塗布部１５を有する第一の封緘機能形成片７に相対する往信用封筒中紙シート３の第一の封緘機能形成片７における重ね合わせ対向面１６には剥離剤塗布部１７が設けられており、前述したようにＺ状に折り畳まれて押圧力が付与されカプセルが破壊されることで粘着力が生じたシール剤塗布部１５が、このＺ状に折り畳まれて前記押圧力が付与された時点で往信用封筒中紙シート３の第一の封緘機能形成片７に貼り合わされないようにしている。即ち、往信用封筒の封緘前に、往信用封筒表紙シート２の第一の封緘機能形成片７と往信用封筒中紙シート３の第一の封緘機能形成片７とが剥離困難に接着するのを防ぎ、かつ、封入物の挿入前に、往信用封筒表紙シート２の第一の封緘機能形成片７と往信兼返信用封筒裏紙シート５の第一の封緘機能形成片７とが剥離困難に接着されないように、この間に往信用封筒中紙シート３の第一の封緘機能形成片７や返信用封筒表紙シート４の第一の封緘機能形成片７を存在させておく必要があるためである。
また、上述したように、Ｚ状に折り畳んで所要の押圧力を付与して返信用封筒を一体化した状態となり、一辺開口型とされた往復封筒の上記返信用封筒に所要の封入物Ｃを挿入した後に、上記往信用封筒表紙シート２の第一の封緘機能形成片７と往信兼返信用封筒裏紙シート５の第一の封緘機能形成片７とによる封緘が行われるようにするために、即ち、往信用封筒中紙シート３と返信用封筒表紙シート４とにおける第一の封緘機能形成片７をそれぞれ取り除き、前記両者を直接対向させてから貼り合わせることができるようにするために、往信兼返信用封筒裏紙シート５の第一の封緘機能形成片７の重ね合わせ対向面１８にシール強度増強剤塗布部１９が設けられている。なお、このシール強度増強剤塗布部自体では接着力などを生じるものではない。
そして、上述のように、シール剤塗布部１５を剥離剤塗布部１７で剥離可能に覆った状態の往復封筒Ａでは返信用封筒Ｂが一辺開口した状態で一体化されているため、この返信用封筒Ｂに所要の封入物Ｃを入れた後に前記剥離剤塗布部１７を備える第一の封緘機能形成片７と返信用封筒表紙シート４の第一の封緘機能形成片７とを取り除き、表出したシール剤塗布部１５により往信用封筒表紙シート２と往信兼返信用封筒裏紙シート５との第一の封緘機能形成片７同士を貼り合わせて封緘を行ない、往復封筒Ａを得ることができる（図２（ロ）参照）。
【０００９】
上述のようにして得られた往復封筒Ａを開封して封入物Ｃを取り出すには、封緘部分を形成している第一の封緘機能形成片７の下部にある切り取り部８から切り取るようにすれば良い。そして、往信用封筒表紙シート２と往信用封筒中紙シート３とを捲るようにしながら取り除くことで、この両シート２、３の重ね合わせ対向面１０に受取人側が情報を記載するようにしたり、その重ね合わせ対向面１０に予め表示させておいた情報などを受取人側に通知できるようになり、さらに、この両シート２、３を取り除くことで一辺開口型の返信用封筒Ｂが独立した状態で得られる（図２（ハ）参照）。
そして、上記返信用封筒Ｂにおいて封緘が行なえるようにするため、往復封筒用シート１にあっては返信用封筒表紙シート４と往信兼返信用封筒裏紙シート５との第二の封緘機能形成片９における重ね合わせ対向面２０それぞれに、この第二の封緘機能形成片９同士を綴じ合わせ可能な封緘手段２１が設けられている（何れか一方の重ね合わせ対向面にこの封緘手段を設けるようにすることも可能である）。この封緘手段２１は例えば再湿性接着剤を塗布してなるものであったり、粘着剤を剥離紙で覆ってなるものであって、返信用封筒Ｂを封緘する際にこの封緘手段２１にて第二の封緘機能形成片９同士を綴じ合わせることができるようにしている。さらに、この封緘手段２１は上述した往復封筒用シート１を折り畳んで押圧力を付与して往復封筒を作成する時点ではその封緘作用が生じないものが用いられている。
封緘手段２１が設けられている上記第二の封緘機能形成片９それぞれの下縁には切り取りミシン目からなる切り取り部２２が設けられており、返信用封筒Ｂを受け取った側においてこの切り取り部２２から封緘部分を取り除くことでこの返信用封筒Ｂを開封できるようにしている。
【００１０】
上記した実施の例における往復封筒用シート１では、Ｚ状に折り畳むようにしたものであるが、本発明はこれに限定されるものではない。図４と図５に示すようにシート側辺側からＣ状に巻き込むようにした折り（観音折り状）にて往復封筒が得られる往復封筒用シート１を示している。この往復封筒用シート１では一方の側方から、往信用封筒中紙シート３と往信用封筒表紙シート２と往信兼返信用封筒裏紙シート５と返信用封筒表紙シート４との順とした四シートが上記折り部６を介して横一連にして連接しており、一方の側方に位置する往信用封筒中紙シート３を往信用封筒表紙シート２に折り重ねるとともに、他方の側方に位置する返信用封筒表紙シート４を、前記往信用封筒中紙シート３が位置する側と同じ側にして往信兼返信用封筒裏紙シート５に折り重ね、さらに、往信用封筒中紙シート３と返信用封筒表紙シート４とが相対するように折り重ねるようにした観音折り状の折りが行なえる配置としている。
そして、上述した例と同じように、この往復封筒用シート１より得られる往復封筒の往信時における封緘が行なえるようにするため、また、封入物の返信用封筒への挿入前に前記封緘が行われないようにすべく、上記四シート３、２、５、４における上側辺それぞれに、観音折り状の折り畳み時に対応するようにした第一の封緘機能形成片７が切り取り部８を介して連接されている。さらに、往信兼返信用封筒裏紙シート５と返信用封筒表紙シート４とで返信用封筒を構成するものであって、この二シート４、５とにおいては切り取り部８に沿って第二の封緘機能形成片９を設け、この第二の封緘機能形成片９それぞれが、観音折り状に折り畳んだときに相対するようにし、返信用封筒単独での差し出し時に封緘が行なえるようにしている。
【００１１】
また、上記観音折り状に折り重ねた時点で往信用封筒上紙シート２と往信用封筒中紙シート３と返信用封筒上紙シート４とが剥離可能に貼り合わされるようにすべく、前記往信用封筒中紙シート３と返信用封筒表紙シート４との間では第一の封緘機能形成片７の部分も含んだ重ね合わせ対向面１０を弱接着部１１とし、往信用封筒中紙シート３と往信用封筒表紙シート２との間では第一の封筒機能形成片７を除く重ね合わせ対向面１０を弱接着部１１とし、返信用封筒上紙シート４と往信兼返信用封筒裏紙シート５とで相対する重ね合わせ対向面１２においても、上記例と同じようにこの二シート４、５の前記第一、第二の封緘機能形成片７、９を除く重ね合わせ対向面１２それぞれの折り部６（二シート４、５の間の折り部６）側を除く二辺に沿って、剥離困難に接着する強接着部１３を設けている。
さらに、往信用封筒での封緘が行なえるようにする構成も上記例と同じであって、往信用封筒表紙シート２の第一の封緘機能形成片７における重ね合わせ対向面１４にシール剤塗布部１５が設けられ、往信用封筒中紙シート３の第一の封緘機能形成片７における前記重ね合わせ対向面１４に対応した重ね合わせ対向面１６に剥離剤塗布部１７が設けられており、往信兼返信用封筒裏紙シート５の第一の封緘機能形成片７における重ね合わせ対向面１８にシール強度増強剤塗布部１９が設けられている。そして、返信用封筒での封緘が行なえるように、返信用封筒表紙シート４と往信兼返信用封筒裏紙シート５との第二の封緘機能形成片９の重ね合わせ対向面２０の少なくとも一方に封緘手段２１が設けられている。
【００１２】
上記例では、往復封筒用シート１がジグザグ状や観音折り状に折り畳むことができるものとして示されているが、図１に示す例の変形例として図６（イ）に示すように、往信用封筒表紙シート２と往信用封筒中紙シート３とを構成する二シートの折り手順を変えるようにして重ね合わせる構成としたり、また、図４に示す例の変形例として図６（ロ）に示すように、往信用封筒表紙シート２と往信用封筒中紙シート３とを構成する二シートの折り手順を変えるようにして重ね合わせる構成としてもよい。
【００１３】
【発明の効果】
以上説明した本発明の往復封筒用シートにあっては、この往復封筒用シートの一枚から往信用封筒表紙シートと往信用封筒中紙シートと返信用封筒表紙シートと往信兼返信用封筒裏紙シートとを重ね合わせて所要個所を接合させることで、返信用封筒側に注文票などを入れることのできる往復封筒が得られるようになる。そして、一枚の往復封筒用シートに往信時差し出し先情報が記載されることになる往信用封筒表紙シートと、返信時差し出し先情報とその差出人情報（往信時差し出し情報に対応する顧客情報）が記載されることになる返信用封筒表紙シートとを備えているため、往信時差し出し先情報と返信用封筒側の差出人情報との間でマッチングミスを生じさせ難くでき、そのマッチングの確認も容易に行なえるものとなる。
また、返信用封筒に予め封入物を入れた往復封筒にあっては目新しさがあって往復封筒の開封率が向上し、ダイレクトメールとしての機能を向上させることができるとともに、同封する封入物も返信用封筒に保持される形となるため、その封入物の散逸、紛失を防止できる。さらに、往信用封筒の内部に返信用封筒を位置させる形態を取るものではないことから、その返信用封筒の寸法を大きく確保できるなど、実用性に優れた効果を奏するものである。
【図面の簡単な説明】
【図１】本発明に係る往復封筒用シートの一例を示すもので、（イ）は一方の片面を示す説明図、（ロ）は他方の片面を示す説明図である。
【図２】往復封筒用シートよりなる往復封筒を示すもので、（イ）は四シートが重ね合わされた形態を示す説明図、（ロ）は封緘された往復封筒を示す説明図、（ハ）は返信用封筒の形態を示すものである。
【図３】封緘前の往復封筒を断面で示すもので、（イ）は図２（イ）におけるＸ−Ｘ線に沿った断面を示す説明図、（ロ）は図２（イ）におけるＹ−Ｙ線に沿った断面を示す説明図である。
【図４】往復封筒用シートの他の例を示すもので、（イ）は一方の片面を示す説明図、（ロ）は他方の片面を示す説明図である。
【図５】往復封筒用シートの他の例における封緘前の往復封筒を示すもので、図２（イ）におけるＹ−Ｙ線部分と同部の断面を示す説明図である。
【図６】同じく往復封筒用シートの他の例における封緘前の往復封筒を示すもので、図２（イ）におけるＹ−Ｙ線部分と同部の断面を示す説明図である。
【符号の説明】
１…往復封筒用シート
２…往信用封筒表紙シート
３…往信用封筒中紙シート
４…返信用封筒表紙シート
５…往信兼返信用封筒裏紙シート
７…第一の封緘機能形成片
８…切り取り部
９…第二の封緘機能形成片
１０，１２，１４，１６，１８，２０…重ね合わせ対向面
１１…弱接着部
１３…強接着部
１５…シール剤塗布部
１７…剥離剤塗布部
１９…シール強度増強剤塗布部
２１…封緘手段
Ａ…往復封筒
Ｂ…返信用封筒
【図１】
0003804306.tif 000002
【図２】
0003804306.tif 000003
【図３】
0003804306.tif 000004
【図４】
0003804306.tif 000005
【図５】
0003804306.tif 000006
【図６】
0003804306.tif 000007